(57)【要約】【課題】起動高速化を実現する。【解決手段】ユーザがテレビ受信機１４０の電源オンの操作を行うと、テレビ受信機１４０はシステムの起動を開始する。ディスクプレーヤ１２０は、ＨＰＤ信号の変化を検出して、電源状態をオフ状態からスタンバイ状態に移行する。テレビ受信機１４０は、システム起動が終了してオン状態となった後に、ディスクプレーヤ１２０に対し、ＨＤＭＩケーブルのＣＥＣラインを介して、〈User Control Pressed〉のPower onを電源オンの操作情報として送る。ディスクプレーヤ１２０は、この操作情報に基づいて、電源状態をスタンバイ状態からオン状態に移行する。ディスクプレーヤ１２０は、予めスタンバイ状態となっているので、電源オンの操作があった場合、スタンバイ状態からオン状態に移行するだけでよく、短時間でオン状態となり、起動の高速化が図られる。【選択図】図１６
2010045450.tif 000002
【特許請求の範囲】
【請求項１】
外部機器に伝送路を介してコンテンツデータを送信し、または上記外部機器から上記伝送路を介してコンテンツデータを受信するデータ伝送部と、
上記外部機器の電源オン情報を取得する電源オン情報取得部と、
電源オンの操作情報を取得する操作情報取得部と、
電源状態を、オフ状態、スタンバイ状態およびオン状態のいずれかの状態に制御する電源状態制御部を備え、
上記電源状態制御部は、
上記オフ状態において上記電源オン情報取得部で上記外部機器の電源オン情報が取得されるとき、上記電源状態を上記オフ状態から上記スタンバイ状態に移行し、
上記スタンバイ状態において上記操作情報取得部で上記電源オンの操作情報が取得されるとき、上記電源状態を上記スタンバイ状態から上記オン状態に移行する
電子機器。
【請求項２】
上記データ伝送部は、
上記外部機器に、上記コンテンツデータを、複数チャネルで、差動信号により、上記伝送路を介して送信し、
または、上記外部機器から、複数チャネルで、差動信号により、上記伝送路を介して、上記コンテンツデータを受信する
請求項１に記載の電子機器。
【請求項３】
上記電源オン情報取得部は、
上記伝送路を構成する所定ラインの電圧変化に基づいて、上記外部機器の電源オン情報を取得する
請求項２に記載の電子機器。
【請求項４】
上記所定ラインは、直流バイアス電位によって上記外部機器の接続状態を通知する機能を有する
請求項３に記載の電子機器。
【請求項５】
上記電源オン情報取得部は、さらに、上記伝送路を構成する制御データラインを介して上記外部機器に電源状態を問い合わせし、該問い合わせに対する応答に基づいて、上記外部機器の電源オン情報を取得する
請求項３に記載の電子機器。
【請求項６】
上記電源オン情報取得部は、上記伝送路を構成する制御データラインを介して上記外部機器に電源状態を問い合わせし、該問い合わせの応答に基づいて、上記外部機器の電源オン情報を取得する
請求項２に記載の電子機器。
【請求項７】
上記操作情報取得部は、上記伝送路を構成する制御データラインを介して、上記電源オンの操作情報を取得する
請求項２に記載の電子機器。
【請求項８】
ユーザが操作するユーザ操作部をさらに備え、
上記操作情報取得部は、さらに、上記ユーザ操作部の操作に基づいて、上記電源オンの操作情報を取得する
請求項７に記載の電子機器。
【請求項９】
ユーザが操作するユーザ操作部をさらに備え、
上記操作情報取得部は、上記ユーザ操作部の操作に基づいて、上記電源オンの操作情報を取得する
請求項１に記載の電子機器。
【請求項１０】
電源オフの操作情報を取得する電源オフ操作情報取得部をさらに備え、
上記電源状態制御部は、さらに、
上記オン状態において上記電源オフ操作情報取得部で上記電源オフの操作情報が取得されるとき、上記電源状態を上記オン状態から上記スタンバイ状態に移行する
請求項１に記載の電子機器。
【請求項１１】
上記データ伝送部は、上記外部機器に、上記コンテンツデータを、複数チャネルで、差動信号により、上記伝送路を介して送信し、または、上記外部機器から、複数チャネルで、差動信号により、上記伝送路を介して、上記コンテンツデータを受信し、
上記電源オフ操作情報取得部は、上記伝送路を構成する制御データラインを介して、上記電源オフの操作情報を取得する
請求項１０に記載の電子機器。
【請求項１２】
上記電源状態制御部は、上記電源状態を上記スタンバイ状態に移行した後に、予め設定された所定時間が経過しても上記操作情報取得部で上記電源オンの操作情報が取得されないとき、上記電源状態を上記スタンバイ状態から上記オフ状態に移行する
請求項１０に記載の電子機器。
【請求項１３】
外部機器に伝送路を介してコンテンツデータを送信し、または上記外部機器から上記伝送路を介してコンテンツデータを受信するデータ伝送部と、
上記外部機器の電源オン情報を取得する電源オン情報取得部と、
電源オンの操作情報を取得する操作情報取得部を備え、
電源状態としてオフ状態、スタンバイ状態およびオン状態を有する電子機器の電源状態制御方法であって、
上記オフ状態において上記電源オン情報取得部で上記外部機器の電源オン情報が取得されるとき、上記電源状態を上記オフ状態から上記スタンバイ状態に移行し、
上記スタンバイ状態において上記操作情報取得部で上記電源オンの操作情報が取得されるとき、上記電源状態を上記スタンバイ状態から上記オン状態に移行する
電子機器の電源状態制御方法。
【発明の詳細な説明】
【技術分野】
【０００１】
この発明は、電子機器および電子機器の電源状態制御方法に関する。詳しくは、この発明は、オフ状態において伝送路で接続された外部機器の電源オン情報が取得されるときスタンバイ状態に移行し、また、スタンバイ状態において電源オンの操作情報が取得されるときオン状態に移行するように電源状態を制御することにより、ユーザが電源オン操作を行ってから実際に電源オン状態となるまでの時間を短縮可能とした電子機器および電子機器の電源状態制御方法に関する。
【背景技術】
【０００２】
近年、例えば、ＤＶＤ（Digital Versatile Disc）プレーヤ、セットトップボックス（STB:SetTop Box）、その他のＡＶソース（Audio Visual source）から、テレビ受信機、プロジェクタ、その他のディスプレイに対して、非圧縮（ベースバンド）のデジタル映像信号（画像データ）と、そのデジタル映像信号に付随するデジタル音声信号（音声データ）とを高速に伝送する通信インタフェースとして、ＨＤＭＩ(High Definition Multimedia Interface)が、普及しつつある。
【０００３】
ＨＤＭＩは、ＰＣ（Personal Computer）とディスプレイの接続標準規格であるＤＶＩ（DigitalVisual Interface）に音声伝送機能や著作権保護機能を加えて、ＡＶ（Audio Visual）機器向けにアレンジしたものとなっている。例えば、非特許文献１には、ＨＤＭＩ規格の詳細についての記載がある。
【０００４】
従来、機器間の接続にビデオ、オーディオ、コントロールの各信号用の複数のケーブルを用いていた。しかし、ＨＤＭＩではケーブル１本で済み、コントロール信号は双方向の伝送に対応している。そのため、例えば、テレビ受信機からＨＤＭＩで接続されたＤＶＤプレーヤ、セットトップボックス等の出力装置にコントロール信号を中継することで、テレビ受信機のリモコンでＡＶシステム全体を操作することも可能となった。
【０００５】
ＨＤＭＩ規格ではＣＥＣ（Consumer Electronics Control）を使った機器間制御が定義されている。このＣＥＣによれば、ＨＤＭＩネットワーク上に存在する各機器に割り当てられる固有の物理アドレスと論理アドレスに基づいて様々な制御を可能としている。例えば、ユーザがテレビ受信機でデジタル放送を視聴しているときに、ＨＤＭＩで接続されたＤＶＤプレーヤを再生すると、テレビ受信機は自動的にＤＶＤプレーヤが接続された入力に切り換える。また、このＤＶＤプレーヤで表示しているメニュー操作や、電源のオン／オフなどをテレビ受信機のリモコンから操作することができる。
【非特許文献１】High-Definition Multimedia Interface Specification Version1.3a,November 10 2006
【発明の開示】
【発明が解決しようとする課題】
【０００６】
現在のＣＥＣ対応機器の多くは、ＣＥＣ機能が起動するまでの時間が比較的長くかかる。そのため、例えば、ＨＤＭＩで接続されたテレビ受信機とＤＶＤプレーヤからなるＡＶシステムにおいて、ユーザがテレビ受信機で電源オン操作を行ってから、実際にＤＶＤプレーヤが電源オン状態となるまでに長い時間を要する。したがって、ＤＶＤプレーヤから再生された画像、音声が、テレビ受信機から出力されるまでに、相当の時間がかかるという問題があった。
【０００７】
この発明の目的は、ユーザが電源オン操作を行ってから実際に電源オン状態となるまでの時間の短縮化を図ることにある。
【課題を解決するための手段】
【０００８】
この発明の概念は、
外部機器に伝送路を介してコンテンツデータを送信し、または上記外部機器から上記伝送路を介してコンテンツデータを受信するデータ伝送部と、
上記外部機器の電源オン情報を取得する電源オン情報取得部と、
電源オンの操作情報を取得する操作情報取得部と、
電源状態を、オフ状態、スタンバイ状態およびオン状態のいずれかの状態に制御する電源状態制御部を備え、
上記電源状態制御部は、
上記オフ状態において上記電源オン情報取得部で上記外部機器の電源オン情報が取得されるとき、上記電源状態を上記オフ状態から上記スタンバイ状態に移行し、
上記スタンバイ状態において上記操作情報取得部で上記電源オンの操作情報が取得されるとき、上記電源状態を上記スタンバイ状態から上記オン状態に移行する
電子機器にある。
【０００９】
この発明の電子機器は、送信装置または受信装置である。送信装置の場合、データ伝送部により、外部機器に、伝送路を介して、コンテンツデータ（画像データ、音声データ）が送信される。この場合、例えば、外部機器に、コンテンツデータが、複数チャネルで、差動信号により、伝送路、例えばＨＤＭＩのＴＭＤＳチャネルを介して送信される。
【００１０】
また、受信装置の場合、データ伝送部により、外部機器から、伝送路を介して、コンテンツデータが受信される。この場合、例えば、外部機器から、複数チャネルで、差動信号により、伝送路、例えばＨＤＭＩのＴＭＤＳチャネルを介して、コンテンツデータが受信される。
【００１１】
この発明において、電源オン情報取得部により、外部機器の電源オン情報が取得される。ここで、外部機器の電源オン情報は、外部機器の電源状態が、現在システム起動中にあってこれからオン状態になること、あるいは既にシステム起動が終了してオン状態になったことを示す情報である。
【００１２】
この電源オン情報取得部においては、例えば、伝送路を構成する所定ラインの電圧変化に基づいて、外部機器の電源オン情報が取得される。この所定ラインは、例えば、直流バイアス電位によって、外部機器の接続状態を通知する機能を有する（ＨＤＭＩケーブルのＨＰＤライン等）。例えば、外部機器に対して電源オン操作がなされたとき、この外部機器は電源オン状態となるためシステム起動中となるが、その際に、所定ラインの電圧は、例えば「Ｌ」→「Ｈ」のように変化するようにされる。電源オン情報取得部では、この所定ラインの電圧変化が検出されることで、外部機器の電源オン情報が取得される。
【００１３】
また、電源オン情報取得部においては、例えば、伝送路を構成する制御データラインを介して外部機器に電源状態を問い合わせて、この問い合わせに対する応答に基づいて、外部機器の電源オン情報が取得される。例えば、外部機器からの応答は、外部機器がシステム起動中にあるときは電源オフ状態にあるとの応答とされ、外部機器がシステム起動を終了したときは電源オン状態にあるとの応答とされる。
【００１４】
また、操作情報取得部においては、例えば、電源オンの操作情報が取得される。電源オンの操作は、例えば、外部機器を通じて行われる。この場合、操作情報取得部では、例えば、伝送路を構成する制御データラインを介して、電源オンの操作情報が取得される。また、電源オンの操作は、例えば、ユーザ操作部が操作されることで行われる。この場合、操作情報取得部では、ユーザ操作部の操作に基づいて、電源オンの操作情報が取得される。
【００１５】
この発明の電子機器は、電源状態として、オフ状態、スタンバイ状態およびオン状態を有している。ここで、オフ状態は、電源オフの操作がなされるとき、最終的に移行する状態である。オン状態は、電源オンの操作がなされるとき、最終的に移行する状態である。電子機器は、オフ状態にあって、電源オンの操作がなされるとき、システム起動を開始し、当該システム起動が終了することで、最終的にオン状態となる。スタンバイ状態は、上述のオフ状態およびオン状態の間に位置するいずれかの段階の状態であり、オン状態となるまでの時間が、オフ状態に比べて短くて済む状態である。
【００１６】
この発明において、電源状態制御部により、オフ状態において電源オン情報取得部で外部機器の電源オン情報が取得されるとき、電源状態はオフ状態からスタンバイ状態に移行される。また、電源状態制御部により、スタンバイ状態において操作情報取得部で電源オンの操作情報が取得されるとき、電源状態はスタンバイ状態からオン状態に移行される。
【００１７】
このように、外部機器の電源オン情報が取得されるとき、電源状態がオフ状態からスタンバイ状態に予め移行されるため、電源オンの操作があった場合にはスタンバイ状態からオン状態に移行するだけでよく、ユーザが電源オン操作を行ってから実際に電源オン状態となるまでの時間を短縮化できる。
【００１８】
この発明は、例えば、電源オフの操作情報を取得する電源オフ操作情報取得部をさらに備え、電源状態制御部は、オン状態において電源オフ操作情報取得部で電源オフの操作情報が取得されるとき、電源状態をオン状態からスタンバイ状態に移行する、ようにされてもよい。この場合、例えば、外部機器において電源オフの操作が誤って行われ、直ちに外部機器において電源オンの操作が行われた場合には、スタンバイ状態からオン状態に移行するだけでよく、ユーザが電源オン操作を行ってから実際に電源オン状態となるまでの時間を短縮化できる。
【００１９】
ここで、例えば、電源状態がスタンバイ状態に移行された後に、予め設定された所定時間が経過しても操作情報取得部で電源オンの操作情報が取得されないとき、電源状態はスタンバイ状態からオフ状態に移行される。外部機器の電源オフの操作が誤りでないとき、当該外部機器の電源オン操作が直ちに行われることはなく、その場合に、スタンバイ状態のままにおかれることを防止でき、無駄な電力消費を防止できる。
【発明の効果】
【００２０】
この発明によれば、オフ状態において伝送路で接続された外部機器の電源オン情報が取得されるときスタンバイ状態に移行し、また、スタンバイ状態において電源オンの操作情報が取得されるときオン状態に移行するように電源状態を制御するものであり、ユーザが電源オン操作を行ってから実際に電源オン状態となるまでの時間を短縮化できる。
【発明を実施するための最良の形態】
【００２１】
以下、図面を参照しながら、この発明の実施の形態について説明する。図１は、実施の形態としてのＡＶ(Audio Visual)システム１００の構成例を示している。このＡＶシステム１００は、ソース機器としてのディスクプレーヤ１２０と、シンク機器としてのテレビ受信機１４０とを有している。
【００２２】
ディスクプレーヤ１２０およびテレビ受信機１４０は、ＨＤＭＩケーブル２１０を介して接続されている。ディスクプレーヤ１２０には、ＨＤＭＩ送信部（ＨＤＭＩＴＸ）１２９が接続されたＨＤＭＩ端子１２１が設けられている。テレビ受信機１４０には、ＨＤＭＩ受信部（ＨＤＭＩ ＲＸ）１４５が接続されたＨＤＭＩ端子１４１が設けられている。ＨＤＭＩケーブル２１０の一端はディスクプレーヤ１２０のＨＤＭＩ端子１２１に接続され、このＨＤＭＩケーブル２１０の他端はテレビ受信機１４０のＨＤＭＩ端子１４１に接続されている。
【００２３】
図２は、ディスクプレーヤ１２０の構成例を示している。ディスクプレーヤ１２０は、ＨＤＭＩ端子１２１と、制御部１２２と、ユーザ操作部１２３と、表示部１２４と、デコーダ１２５と、出力端子１２６と、再生部１２７と、ＨＤＭＩ送信部（ＨＤＭＩソース）１２９とを有している。
【００２４】
制御部１２２は、ディスクプレーヤ１２０の各部の動作を制御する。ユーザ操作部１２３および表示部１２４は、ユーザインタフェースを構成し、制御部１２２に接続されている。ユーザ操作部１２３は、ディスクプレーヤ１２０の図示しない筐体に配置されたキー、釦、ダイアル、あるいは表示部１２４の表示面に配置されたタッチパネル等で構成される。表示部１２４は、ＬＣＤ(Liquid Crystal Display)等の表示パネルで構成される。
【００２５】
再生部１２７は、ＤＶＤ等のディスク状記録媒体１２８からエンコードデータを再生し、デコーダ１２５に供給する。このエンコードデータは、例えば、画像データ、およびこの画像データに付随する音声データを、例えば、ＭＰＥＧ(Moving Picture Experts Group)方式等でエンコードして生成された圧縮符号化データである。
【００２６】
デコーダ１２５は、再生部１２７から供給されるエンコードデータを、非圧縮（ベースバンド）の画像と音声のデータに、ＭＰＥＧ方式等でデコードし、当該非圧縮の画像と音声のデータを、ＨＤＭＩ送信部（ＨＤＭＩソース）１２９に供給すると共に、出力端子１２６に出力する。
【００２７】
ＨＤＭＩ送信部１２９はＨＤＭＩ端子１２１に接続されている。このＨＤＭＩ送信部１２９は、ＨＤＭＩに準拠した通信により、コーデック１２５から供給される非圧縮の画像と音声のデータを、ＨＤＭＩ端子１２１から、ＨＤＭＩケーブル２１０を介して、テレビ受信機１４０に、一方向に送信する。このＨＤＭＩ送信部１２９の詳細については後述する。
【００２８】
図３は、テレビ受信機１４０の構成例を示している。このテレビ受信機１４０は、ＨＤＭＩ端子１４１と、制御部１４３と、ユーザ操作部１４４と、ＨＤＭＩ受信部（ＨＤＭＩシンク）１４５と、チューナ１４６と、アンテナ端子１４７と、切り替え器１４８と、表示処理部１４９と、表示パネル１５０を有している。
【００２９】
制御部１４３は、テレビ受信機１４０の各部の動作を制御する。ユーザ操作部１４４は、ユーザインタフェースを構成し、制御部１４３に接続されている。ユーザ操作部１４４は、テレビ受信機１４０の図示しない筐体に配置されたキー、釦、ダイアル、あるいはリモコン等で構成される。
【００３０】
ＨＤＭＩ受信部１４５は、ＨＤＭＩ端子１４１に接続されている。このＨＤＭＩ受信部１４５は、ＨＤＭＩに準拠した通信により、ＨＤＭＩケーブル２１０を介して接続されているディスクプレーヤ１２０のＨＤＭＩ送信部１２９から一方向に送信されてくる非圧縮の画像と音声のデータを受信する。ＨＤＭＩ受信部１４５は、受信した画像データを切り替え器１４８に供給する。なお、ＨＤＭＩ受信部１４５が受信した音声のデータは、図示しない音声データ用の切り替え器に供給される。このＨＤＭＩ受信部１４５の詳細については後述する。
【００３１】
チューナ１４６は、ＢＳデジタル放送、地上波デジタル放送等を受信する。このチューナ１４６には、アンテナ端子１４７に接続された図示しないアンテナで捕らえられた放送信号が供給される。このチューナ１４６は、放送信号に基づいて、所定の番組の画像データ（映像信号）および音声データを取得する。切り替え器１４８は、ＨＤＭＩ受信部１４５で受信された画像データまたはチューナ１４６で取得された画像データを選択的に取り出す。
【００３２】
表示処理部１４９は、切り替え器１４８で取り出された画像データに対して、色調整、輪郭強調、グラフィックスデータの重畳等の処理を行う。表示パネル１５０は、表示処理部１４９で処理された画像データによる画像を表示する。表示パネル１５０は、例えば、ＬＣＤ(Liquid Crystal Display)、有機ＥＬ(ElectroLuminescence)、ＰＤＰ(Plasma Display Panel)等で構成される。
【００３３】
図４は、図１のＡＶシステム１００における、ディスクプレーヤ１２０のＨＤＭＩ送信部（ＨＤＭＩソース）１２９と、テレビ受信機１４０のＨＤＭＩ受信部（ＨＤＭＩシンク）１４５の構成例を示している。
【００３４】
ＨＤＭＩ送信部１２９は、一の垂直同期信号から次の垂直同期信号までの区間から、水平帰線区間及び垂直帰線区間を除いた区間である有効画像区間（以下、適宜、アクティブビデオ区間ともいう）において、非圧縮の１画面分の画像の画素データに対応する差動信号を、複数のチャネルで、ＨＤＭＩ受信部１４５に一方向に送信するとともに、水平帰線区間または垂直帰線区間において、少なくとも画像に付随する音声データや制御データ、その他の補助データ等に対応する差動信号を、複数のチャネルで、ＨＤＭＩ受信部１４５に一方向に送信する。
【００３５】
すなわち、ＨＤＭＩ送信部１２９は、ＨＤＭＩトランスミッタ８１を有する。ＨＤＭＩトランスミッタ８１は、例えば、非圧縮の画像の画素データを対応する差動信号に変換し、複数のチャネルである３つのＴＭＤＳチャネル＃０，＃１，＃２で、ＨＤＭＩケーブル２１０を介して接続されているＨＤＭＩ受信部１４５に、一方向にシリアル伝送する。
【００３６】
また、ＨＤＭＩトランスミッタ８１は、非圧縮の画像に付随する音声データ、さらには、必要な制御データその他の補助データ等を、対応する差動信号に変換し、３つのＴＭＤＳチャネル＃０，＃１，＃２でＨＤＭＩケーブル２１０を介して接続されているＨＤＭＩ受信部１４５に、一方向にシリアル伝送する。
【００３７】
さらに、ＨＤＭＩトランスミッタ８１は、３つのＴＭＤＳチャネル＃０，＃１，＃２で送信する画素データに同期したピクセルクロックを、ＴＭＤＳクロックチャネルで、ＨＤＭＩケーブル２１０を介して接続されているＨＤＭＩ受信部１４５に送信する。ここで、１つのＴＭＤＳチャネル＃ｉ（ｉ=０，１，２）では、ピクセルクロックの１クロックの間に、１０ビットの画素データが送信される。
【００３８】
ＨＤＭＩ受信部１４５は、アクティブビデオ区間において、複数のチャネルで、ＨＤＭＩ送信部１２９から一方向に送信されてくる、画素データに対応する差動信号を受信するとともに、水平帰線区間または垂直帰線区間において、複数のチャネルで、ＨＤＭＩ送信部１２９から一方向に送信されてくる、音声データや制御データに対応する差動信号を受信する。
【００３９】
すなわち、ＨＤＭＩ受信部１４５は、ＨＤＭＩレシーバ８２を有する。ＨＤＭＩレシーバ８２は、ＴＭＤＳチャネル＃０，＃１，＃２で、ＨＤＭＩケーブル２１０を介して接続されているＨＤＭＩ送信部１２９から一方向に送信されてくる、画素データに対応する差動信号と、音声データや制御データに対応する差動信号を、同じくＨＤＭＩ送信部１２９からＴＭＤＳクロックチャネルで送信されてくるピクセルクロックに同期して受信する。
【００４０】
ＨＤＭＩ送信部１２９とＨＤＭＩ受信部１４５とからなるＨＤＭＩシステムの伝送チャネルには、ＨＤＭＩ送信部１２９からＨＤＭＩ受信部１４５に対して、画素データおよび音声データを、ピクセルクロックに同期して、一方向にシリアル伝送するための伝送チャネルとしての３つのＴＭＤＳチャネル＃０乃至＃２と、ピクセルクロックを伝送する伝送チャネルとしてのＴＭＤＳクロックチャネルの他に、ＤＤＣ（Display Data Channel）８３やＣＥＣライン８４と呼ばれる伝送チャネルがある。
【００４１】
ＤＤＣ８３は、ＨＤＭＩケーブル２１０に含まれる図示しない２本の信号線からなり、ＨＤＭＩ送信部１２９が、ＨＤＭＩケーブル２１０を介して接続されたＨＤＭＩ受信部１４５から、Ｅ−ＥＤＩＤ（Enhanced Extended Display Identification Data）を読み出すために使用される。
【００４２】
すなわち、ＨＤＭＩ受信部１４５は、ＨＤＭＩレシーバ８２の他に、自身の性能（Configuration/capability）に関する性能情報であるＥ−ＥＤＩＤを記憶している、ＥＤＩＤ ＲＯＭ(Read Only Memory)８５を有している。ＨＤＭＩ送信部１２９は、例えば、制御１２２からの要求に応じて、ＨＤＭＩケーブル２１０を介して接続されているＨＤＭＩ受信部１４５から、当該ＨＤＭＩ受信部１４５のＥ−ＥＤＩＤを、ＤＤＣ８３を介して読み出す。ＨＤＭＩ送信部１２９は、読み出したＥ−ＥＤＩＤを制御部１２２に送る。
【００４３】
制御部１２２は、Ｅ−ＥＤＩＤに基づき、ＨＤＭＩ受信部１４５の性能の設定を認識できる。例えば、制御部１２２は、ＨＤＭＩ受信部１４５を有する電子機器が対応している画像のフォーマット（プロファイル）、例えば、ＲＧＢ、ＹＣbＣr４：４：４、ＹＣbＣr４：２：２等を認識する。
【００４４】
ＣＥＣライン８４は、ＨＤＭＩケーブル２１０に含まれる図示しない１本の信号線からなり、制御データラインを構成している。このＣＥＣライン８４は、ＨＤＭＩ送信部１２９とＨＤＭＩ受信部１４５との間で、制御用データの双方向通信を行うために用いられる。
【００４５】
また、ＨＤＭＩケーブル２１０には、ＨＰＤ(Hot Plug Detect)と呼ばれるピンに接続されるＨＰＤライン８６が含まれている。ソース機器は、当該ＨＰＤライン８６を利用して、シンク機器の接続を検出することができる。また、ＨＤＭＩケーブル２１０には、ソース機器からシンク機器に電源を供給するために用いられる電源ライン８７が含まれている。さらに、ＨＤＭＩケーブル２１０には、リザーブライン８８が含まれている。
【００４６】
ここで、図５は、ソース機器としてのディスクプレーヤ１２０と、シンク機器としてのテレビ受信機１４０における、電源（+5V power）端子と、ＨＰＤ(Hot Plug Detect)端子の周辺回路を簡略的に示している。
【００４７】
ディスクプレーヤ１２０は、＋５Ｖの電源を発生して上述の電源端子に供給する電源部２０１と、ＨＰＤ端子に接続されたＨＰＤ回路２０２を備えている。なお、ディスクプレーヤ１２０のＨＰＤ端子は、例えば４７ｋΩのプルダウン抵抗２０３を介して接地されている。
【００４８】
一方、テレビ受信機１４０は、ＨＰＤ端子に接続されたＨＰＤ回路２０４を備えている。なお、このテレビ受信機１４０において、ＥＤＩＤ  ＲＯＭ８５には、電源端子から読み出し用電源が供給されている。そして、このテレビ受信機１４０では、電源端子とＨＰＤ端子との間に、規格で規定されている１ｋΩの抵抗２０５が接続されている。また、ＨＰＤ端子は、接続スイッチ２０６を介して接地されている。
【００４９】
このような構成において、ディスクプレーヤ１２０とテレビ受信機１４０がＨＤＭＩケーブル２１０で接続された場合、テレビ受信機１４０の電源端子に供給されている、ディスクプレーヤ１２０の電源部２０１からの＋５Ｖの電源により、テレビ受信機１４０のＨＰＤ端子の電位が高くなる。そのため、テレビ受信機１４０のＨＰＤ回路２０４は、ＴＶ受信機１４０にＨＤＭＩケーブル２１０を介してソース機器（この実施の形態ではディスクプレーヤ１２０）が接続されたことを検出できる。
【００５０】
また、このとき、ディスクプレーヤ１２０のＨＰＤ端子の電位も高くなる。そのため、ディスクプレーヤ１２０のＨＰＤ回路２０２は、ディスクプレーヤ１２０にＨＤＭＩケーブル２１０を介してシンク機器（この実施の形態ではテレビ受信機１４０）が接続されたことを検出できる。
【００５１】
また、この状態で、例えば、ＨＤＭＩケーブル２１０がテレビ受信機１４０から外された場合、テレビ受信機１４０のＨＰＤ端子およびディスクプレーヤ１２０のＨＰＤ端子の電位は共に低くなり、テレビ受信機１４０のＨＰＤ回路２０４およびディスクプレーヤ１２０のＨＰＤ回路２０２は、ＨＤＭＩケーブル２１０の接続が外されたことを検出できる。
【００５２】
また、ディスクプレーヤ１２０とテレビ受信機１４０がＨＤＭＩケーブル２１０で接続された状態で、テレビ受信機１４０において、電源オンの操作がされた場合、接続スイッチ２０６は、制御部１４３から供給される制御信号ＳＷに基づいて、所定時間だけオン状態とされ、ＨＰＤラインの電圧（ＨＰＤ信号）はロー（Low）→ハイ（High）と変化するようにされる。これにより、ディスクプレーヤ１２０のＨＰＤ回路２０２は、テレビ受信機１４０において、電源オンの操作がなされたことを検出できる。
【００５３】
図６は、図５のＨＤＭＩトランスミッタ８１とＨＤＭＩレシーバ８２の構成例を示している。
【００５４】
ＨＤＭＩトランスミッタ８１は、３つのＴＭＤＳチャネル＃０，＃１，＃２にそれぞれ対応する３つのエンコーダ／シリアライザ８１Ａ，８１Ｂ，８１Ｃを有する。そして、エンコーダ／シリアライザ８１Ａ，８１Ｂ，８１Ｃのそれぞれは、そこに供給される画像データ、補助データ、制御データをエンコードし、パラレルデータからシリアルデータに変換して、差動信号により送信する。ここで、画像データが、例えばＲ（赤），Ｇ（緑），Ｂ（青）の３成分を有する場合、Ｂ成分（Ｂ component）はエンコーダ／シリアライザ８１Ａに供給され、Ｇ成分（Ｇcomponent）はエンコーダ／シリアライザ８１Ｂに供給され、Ｒ成分（Ｒ component）はエンコーダ／シリアライザ８１Ｃに供給される。
【００５５】
また、補助データとしては、例えば、音声データや制御パケットがあり、制御パケットは、例えば、エンコーダ／シリアライザ８１Ａに供給され、音声データは、エンコーダ／シリアライザ８１Ｂ，８１Ｃに供給される。
【００５６】
さらに、制御データとしては、１ビットの垂直同期信号（VSYNC）、１ビットの水平同期信号（HSYNC）、および、それぞれ１ビットの制御ビットＣＴＬ０，ＣＴＬ１，ＣＴＬ２，ＣＴＬ３がある。垂直同期信号および水平同期信号は、エンコーダ／シリアライザ８１Ａに供給される。制御ビットＣＴＬ０，ＣＴＬ１はエンコーダ／シリアライザ８１Ｂに供給され、制御ビットＣＴＬ２，ＣＴＬ３はエンコーダ／シリアライザ８１Ｃに供給される。
【００５７】
エンコーダ／シリアライザ８１Ａは、そこに供給される画像データのＢ成分、垂直同期信号および水平同期信号、並びに補助データを、時分割で送信する。すなわち、エンコーダ／シリアライザ８１Ａは、そこに供給される画像データのＢ成分を、固定のビット数である８ビット単位のパラレルデータとする。さらに、エンコーダ／シリアライザ８１Ａは、そのパラレルデータをエンコードし、シリアルデータに変換して、ＴＭＤＳチャネル＃０で送信する。
【００５８】
また、エンコーダ／シリアライザ８１Ａは、そこに供給される垂直同期信号および水平同期信号の２ビットのパラレルデータをエンコードし、シリアルデータに変換して、ＴＭＤＳチャネル＃０で送信する。さらに、エンコーダ／シリアライザ８１Ａは、そこに供給される補助データを４ビット単位のパラレルデータとする。そして、エンコーダ／シリアライザ８１Ａは、そのパラレルデータをエンコードし、シリアルデータに変換して、ＴＭＤＳチャネル＃０で送信する。
【００５９】
エンコーダ／シリアライザ８１Ｂは、そこに供給される画像データのＧ成分、制御ビットＣＴＬ０，ＣＴＬ１、並びに補助データを、時分割で送信する。すなわち、エンコーダ／シリアライザ８１Ｂは、そこに供給される画像データのＧ成分を、固定のビット数である８ビット単位のパラレルデータとする。さらに、エンコーダ／シリアライザ８１Ｂは、そのパラレルデータをエンコードし、シリアルデータに変換して、ＴＭＤＳチャネル＃１で送信する。
【００６０】
また、エンコーダ／シリアライザ８１Ｂは、そこに供給される制御ビットＣＴＬ０，ＣＴＬ１の２ビットのパラレルデータをエンコードし、シリアルデータに変換して、ＴＭＤＳチャネル＃１で送信する。さらに、エンコーダ／シリアライザ８１Ｂは、そこに供給される補助データを４ビット単位のパラレルデータとする。そして、エンコーダ／シリアライザ８１Ｂは、そのパラレルデータをエンコードし、シリアルデータに変換して、ＴＭＤＳチャネル＃１で送信する。
【００６１】
エンコーダ／シリアライザ８１Ｃは、そこに供給される画像データのＲ成分、制御ビットＣＴＬ２，ＣＴＬ３、並びに補助データを、時分割で送信する。すなわち、エンコーダ／シリアライザ８１Ｃは、そこに供給される画像データのＲ成分を、固定のビット数である８ビット単位のパラレルデータとする。さらに、エンコーダ／シリアライザ８１Ｃは、そのパラレルデータをエンコードし、シリアルデータに変換して、ＴＭＤＳチャネル＃２で送信する。
【００６２】
また、エンコーダ／シリアライザ８１Ｃは、そこに供給される制御ビットＣＴＬ２，ＣＴＬ３の２ビットのパラレルデータをエンコードし、シリアルデータに変換して、ＴＭＤＳチャネル＃２で送信する。さらに、エンコーダ／シリアライザ８１Ｃは、そこに供給される補助データを４ビット単位のパラレルデータとする。そして、エンコーダ／シリアライザ８１Ｃは、そのパラレルデータをエンコードし、シリアルデータに変換して、ＴＭＤＳチャネル＃２で送信する。
【００６３】
ＨＤＭＩレシーバ８２は、３つのＴＭＤＳチャネル＃０，＃１，＃２にそれぞれ対応する３つのリカバリ／デコーダ８２Ａ，８２Ｂ，８２Ｃを有する。そして、リカバリ／デコーダ８２Ａ，８２Ｂ，８２Ｃのそれぞれは、ＴＭＤＳチャネル＃０，＃１，＃２で差動信号により送信されてくる画像データ、補助データ、制御データを受信する。さらに、リカバリ／デコーダ８２Ａ，８２Ｂ，８２Ｃのそれぞれは、画像データ、補助データ、制御データを、シリアルデータからパラレルデータに変換し、さらにデコードして出力する。
【００６４】
すなわち、リカバリ／デコーダ８２Ａは、ＴＭＤＳチャネル＃０で差動信号により送信されてくる画像データのＢ成分、垂直同期信号および水平同期信号、補助データを受信する。そして、リカバリ／デコーダ８２Ａは、その画像データのＢ成分、垂直同期信号および水平同期信号、補助データを、シリアルデータからパラレルデータに変換し、デコードして出力する。
【００６５】
リカバリ／デコーダ８２Ｂは、ＴＭＤＳチャネル＃１で差動信号により送信されてくる画像データのＧ成分、制御ビットＣＴＬ０，ＣＴＬ１、補助データを受信する。そして、リカバリ／デコーダ８２Ｂは、その画像データのＧ成分、制御ビットＣＴＬ０，ＣＴＬ１、補助データを、シリアルデータからパラレルデータに変換し、デコードして出力する。
【００６６】
リカバリ／デコーダ８２Ｃは、ＴＭＤＳチャネル＃２で差動信号により送信されてくる画像データのＲ成分、制御ビットＣＴＬ２，ＣＴＬ３、補助データを受信する。そして、リカバリ／デコーダ８２Ｃは、その画像データのＲ成分、制御ビットＣＴＬ２，ＣＴＬ３、補助データを、シリアルデータからパラレルデータに変換し、デコードして出力する。
【００６７】
図７は、ＴＭＤＳ伝送データの構造例を示している。図７は、ＴＭＤＳチャネル＃０，＃１，＃２において、横×縦が１９２０ピクセル×１０８０ラインの画像データが伝送される場合の、各種の伝送データの区間を示している。
【００６８】
ＨＤＭＩの３つのＴＭＤＳチャネル＃０，＃１，＃２で伝送データが伝送されるビデオフィールド（Video Field）には、伝送データの種類に応じて、ビデオデータ区間（VideoData period）、データアイランド区間（Data Island period）、およびコントロール区間（Control period）の３種類の区間が存在する。
【００６９】
ここで、ビデオフィールド区間は、ある垂直同期信号の立ち上がりエッジ（active edge）から次の垂直同期信号の立ち上がりエッジまでの区間であり、水平ブランキング期間（horizontal blanking）、垂直ブランキング期間（vertical blanking）、並びに、ビデオフィールド区間から、水平ブランキング期間および垂直ブランキング期間を除いた区間であるアクティブビデオ区間（Active Video）に分けられる。
【００７０】
ビデオデータ区間は、アクティブビデオ区間に割り当てられる。このビデオデータ区間では、非圧縮の１画面分の画像データを構成する１９２０ピクセル（画素）×１０８０ライン分の有効画素（Active pixel）のデータが伝送される。
【００７１】
データアイランド区間およびコントロール区間は、水平ブランキング期間および垂直ブランキング期間に割り当てられる。このデータアイランド区間およびコントロール区間では、補助データ（Auxiliary data）が伝送される。すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【００７２】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００７３】
図８は、ＨＤＭＩ端子２１１，２５１のピン配列の一例を示している。図８に示すピン配列はタイプＡ（type-A）と呼ばれている。
【００７４】
ＴＭＤＳチャネル＃ｉの差動信号であるＴＭＤＳ  Ｄａｔａ＃ｉ＋とＴＭＤＳ  Ｄａｔａ＃ｉ−が伝送される差動線である２本のラインは、ＴＭＤＳ  Ｄａｔａ＃ｉ＋が割り当てられているピン（ピン番号が１，４，７のピン）と、ＴＭＤＳ  Ｄａｔａ＃ｉ−が割り当てられているピン（ピン番号が３，６，９のピン）に接続される。
【００７５】
また、制御用のデータであるＣＥＣ信号が伝送されるＣＥＣライン８４は、ピン番号が１３であるピンに接続され、ピン番号が１４のピンは空き（Reserved）ピンとなっている。また、Ｅ−ＥＤＩＤ等のＳＤＡ(SerialData)信号が伝送されるラインは、ピン番号が１６であるピンに接続され、ＳＤＡ信号の送受信時の同期に用いられるクロック信号であるＳＣＬ(Serial Clock)信号が伝送されるラインは、ピン番号が１５であるピンに接続される。上述のＤＤＣ８３は、ＳＤＡ信号が伝送されるラインおよびＳＣＬ信号が伝送されるラインにより構成される。
【００７６】
また、上述したようにソース機器がシンク機器の接続を検出するためのＨＰＤライン８６は、ピン番号が１９であるピンに接続される。また、上述したように電源を供給するための電源ライン８７は、ピン番号が１８であるピンに接続される。
【００７７】
図１に示すＡＶシステム１００の動作例を説明する。まず、ＤＶＤレコーダ１２０にＨＤＭＩケーブル２１０を介してテレビ受信機１４０が接続されるシステム構成時の動作例を説明する。
【００７８】
ＨＤＭＩケーブル２１０の電源ライン８７（図４参照）を通じて、ＤＶＤプレーヤ１２０からテレビ受信機１４０に電源が供給される。そのため、テレビ受信機１４０のＨＤＭＩ端子１４１における１９ピンの電圧が高くなり、ＤＶＤプレーヤ１２０のＨＤＭＩ端子１２１における１９ピンの電圧も高くなる。
【００７９】
ＤＶＤプレーヤ１２０の制御部１２２（ＨＰＤ回路２０２）は、ＨＤＭＩ端子１２１における１９ピンの電圧を監視しており、当該電圧が高くなることで、ＤＶＤプレーヤ１２０にＨＤＭＩケーブル２１０を介してテレビ受信機１４０が接続されたことを認識する。そして、制御部１２２は、ＨＤＭＩケーブル２１０のＤＤＣ８３を用いて、テレビ受信機１４０のＥＤＩＤＲＯＭ８５に記憶されているＥ−ＥＤＩＤを読み出し、テレビ受信機１４０の設定、性能を認識する。
【００８０】
次に、システム構成後の動作例を説明する。例えば、ユーザがディスクプレーヤ１２０の再生を操作すると、ディスクプレーヤ１２０（図２参照）では再生が開始され、テレビ受信機１４０（図３参照）ではＨＤＭＩに入力が切り換えられる。
【００８１】
この場合、ディスクプレーヤ１２０では、再生部１２７により、ディスク状記録媒体１２８からエンコードデータが再生され、デコーダ１２５に供給される。このデコーダ１２５では、再生部１２７で再生されたエンコードデータが、非圧縮の画像と音声のデータにデコードされ、それらのデータは、ＨＤＭＩ送信部１２９に供給される。ＨＤＭＩ送信部１２９では、ＨＤＭＩに準拠した通信により、デコーダ１２５から供給される非圧縮の画像と音声のデータが、ＨＤＭＩケーブル２１０を介して、テレビ受信機１４０に、一方向に、送信される。
【００８２】
テレビ受信機１４０では、ＨＤＭＩ受信部１４５で、ＨＤＭＩに準拠した通信により、ディスクプレーヤ１２０のＨＤＭＩ送信部１２９からＨＤＭＩケーブル２１０を介して一方向に送信されてくるベースバンドの画像と音声のデータが受信される。
【００８３】
ＨＤＭＩ受信部１４５で受信された画像データは切り替え器１４８を介して表示処理部１４９に供給される。表示処理部１４９では、制御部１４３の制御のもと、画像データに対して、色調整、輪郭強調、グラフィックスデータの重畳等の処理が行われる。そして、表示パネル１５０には、表示処理部１４９から供給される画像データによる画像が表示される。
【００８４】
また、ＨＤＭＩ受信部１４５で受信された音声データは、図示しない音声データ用の切り替え器から取り出され、Ｄ／Ａ変換器でアナログ信号に変換された後にスピーカに供給される。そして、このスピーカから、表示パネル１５０に表示された画像に対応した音声が出力される。
【００８５】
次に、ディスクプレーヤ１２０における電源状態の制御について説明する。ディスクプレーヤ１２０は、電源状態として、オフ状態、スタンバイ状態およびオン状態を有している。ディスクプレーヤ１２０において、この電源状態の制御は、制御部１２２により行われる。
【００８６】
ここで、オフ状態は、電源オフの操作がなされるとき、最終的に移行する状態である。オン状態は、電源オンの操作がなされるとき、最終的に移行する状態である。電子機器は、オフ状態にあって、電源オンの操作がなされるとき、システム起動を開始し、当該システム起動が終了することで、最終的にオン状態となる。スタンバイ状態は、上述のオフ状態およびオン状態の間に位置するいずれかの段階の状態であり、オン状態となるまでの時間が、オフ状態に比べて短くて済む状態である。
【００８７】
制御部１２２は、スタンバイマイコン１３１およびメインマイコン（デジタルマイコン）１３２を備えている。スタンバイマイコン１３１は、主電源ＯＮ（ＡＣＯＮ）の状態で常に起動し、図９に示すように、電源状態が、オフ状態、スタンバイ状態、オン状態のいずれにあっても、常に起動状態（オン状態）に置かれる。このスタンバイマイコン１３１は、電源状態を管理する。
【００８８】
メインマイコン１３２は、ディスクプレーヤ１２０の各部の動作を制御する。メインマイコン１３２は、図９に示すように、電源状態がスタンバイ状態およびオン状態にあるとき、起動状態（オン状態）に置かれる。このメインマイコン１３２は、起動に比較的長い時間を要する。
【００８９】
ディスクプレーヤ１２０は、スタンバイ状態にあるときには、例えば、図９に示すように、表示部１２４が表示オフ状態におかれ、また、出力ミューティングがオン状態に置かれる等を除けば、各部の状態は、オン状態とほぼ同様の状態となっている。そのため、ディスクプレーヤ１２０は、電源状態がスタンバイ状態にあるときには、オン状態への移行を短時間で済ますことができる。
【００９０】
スタンバイマイコン１３１における電源状態の管理について説明する。スタンバイマイコン１３１は、図１０に示すように、電源管理ステートマシン１０、ＨＰＤ検出ステートマシン２０およびシンク電源監視ステートマシン３０を構成している。電源管理ステートマシン１０は、電源状態を管理するステートマシンである。ＨＰＤ検出ステートマシン２０は、ＨＰＤラインの電圧（ＨＰＤ信号）の変化を検知するステートマシンである。シンク電源監視ステートマシン３０は、定期的にシンク機器の電源状態をポーリングするステートマシンである。
【００９１】
電源管理ステートマシン１０は、ＨＰＤ検出ステートマシン２０、シンク電源監視ステートマシン３０からのイベント通知を受けて電源状態を変化させる。ＨＰＤ検出ステートマシン２０およびシンク電源監視ステートマシン３０はそれぞれ独立しており、電源管理ステートマシン１０のステートによっては、通知イベントは無視されることもある。
【００９２】
ここで、ＨＰＤ検出ステートマシン２０では、「ＨＰＤＯＦＦイベント」、「ＨＤＭＩ接続イベント」、「ＨＤＭＩ未接続イベント」の３種類のイベントが発生されて、電源管理ステートマシン１０に通知される。また、シンク電源監視ステートマシン３０では、「シンクＯＮイベント」、「シンクＯＦＦイベント」の２種類のイベントが発生されて、電源管理ステートマシン１０に通知される。
【００９３】
図１１は、電源管理ステートマシン１０に通知されるイベントの一覧を示している。この一覧には、上述したＨＰＤ検出ステートマシン２０およびシンク電源監視ステートマシン３０で発生される各イベントの他に、「電源オンイベント」、「電源オフイベント」が存在する。これらのイベントは、ユーザが電源オンの操作を行うことでスタンバイマイコン１３１により発生されるイベントである。
【００９４】
スタンバイマイコン１３１は、電源オンの操作情報を取得して、「電源オンイベント」を発生する。同様に。スタンバイマイコン１３１は、電源オフの操作情報を取得して、「電源オフイベント」を発生する。ユーザは、ユーザ操作部１２３を操作して、ディスクプレーヤ１２０の電源オンあるいは電源オフの操作を行うことができる。この場合、スタンバイマイコン１３１は、ユーザ操作部１２３の操作に基づいて、電源オンあるいは電源オフの操作情報を取得する。
【００９５】
また、ユーザは、ＨＤＭＩ−ＣＥＣの電源連動機能がオンとされているときには、テレビ受信機１４０の電源オンあるいは電源オフの操作を行って、ディスクプレーヤ１２０の電源オンあるいは電源オフの操作を行うことができる。この場合、テレビ受信機１４０からディスクプレーヤ１２０には、ＨＤＭＩケーブル２１０のＣＥＣラインを介して、〈User Control Pressed〉のPower onあるいはPower offが送られる。この場合、スタンバイマイコン１３１は、ＣＥＣラインを介して、電源オンあるいは電源オフの操作情報を取得する。
【００９６】
また、ユーザは、リモコンパススルー機能がオンとされているときには、テレビ受信機１４０のリモコンを利用してディスクプレーヤ１２０の電源オンあるいは電源オフの操作を行うことができる。この場合、テレビ受信機１４０からディスクプレーヤ１２０には、ＨＤＭＩケーブル２１０のＣＥＣラインを介して、ディスクプレーヤ１２０の電源オンあるいは電源オフの操作を行うリモコンコマンドが送られる。この場合、スタンバイマイコン１３１は、ＣＥＣラインを介して、電源オンあるいは電源オフの操作情報を取得する。
【００９７】
次に、ＨＰＤ検出ステートマシン２０の動作を説明する。ＨＰＤ検出ステートマシン２０は、図１２に示すＨＰＤ検出ステートチャートに沿って動作する。ＨＰＤ検出ステートには、初期化状態、ＨＤＭＩ接続状態、ＨＤＭＩ未接続状態およびＨＰＤＯＦＦ状態が存在する。
【００９８】
ＨＰＤ検出ステートマシン２０は、主電源ＯＮ（ＡＣＯＮ）となるとき、初期化状態となる。ＨＰＤ検出ステートマシン２０は、初期化状態に入るとき、ＨＰＤ信号の検出を開始する。ＨＰＤ検出ステートマシン２０は、初期化状態において、ＨＰＤ信号がハイ（High）にあるとき（ＨＰＤ ＯＮ）、ＨＤＭＩ接続状態となる。ＨＰＤ検出ステートマシン２０は、ＨＤＭＩ接続状態に入るとき、電源管理ステートマシン１０に、「ＨＤＭＩ接続イベント」を送信する。
【００９９】
ＨＰＤ検出ステートマシン２０は、初期化状態において、ＨＰＤ信号がロー（Low）にあるとき（ＨＰＤ ＯＦＦ）、ＨＤＭＩ未接続状態となる。ＨＰＤ検出ステートマシン２０は、ＨＤＭＩ未接続状態に入るとき、電源管理ステートマシン１０に、「ＨＤＭＩ未接続イベント」を送信する。ＨＰＤ検出ステートマシン２０は、ＨＤＭＩ未接続状態において、ＨＰＤ信号がハイ（High）になるとき（ＨＰＤ ＯＮ）、ＨＤＭＩ接続状態となる。
【０１００】
ＨＰＤ検出ステートマシン２０は、ＨＤＭＩ接続状態において、ＨＰＤ信号がロー（Low）にあるとき（ＨＰＤ ＯＦＦ）、ＨＰＤ ＯＦＦ状態となる。ＨＰＤ検出ステートマシン２０は、ＨＰＤ ＯＦＦ状態に入るとき、抜挿判断タイマーをスタートさせると共に、電源管理ステートマシン１０に、「ＨＰＤＯＦＦイベント」を送信する。
【０１０１】
ＨＰＤ検出ステートマシン２０は、ＨＰＤ ＯＦＦ状態において、ＨＰＤ信号がハイ（High）になるとき（ＨＰＤ ＯＮ）、ＨＤＭＩ接続状態となる。また、ＨＰＤ検出ステートマシン２０は、ＨＰＤ ＯＦＦ状態において、抜挿判断タイマーがタイムアウトとなるとき、ＨＤＭＩ未接続状態となる。ＨＰＤ検出ステートマシン２０は、ＨＰＤＯＦＦ状態から出るとき、抜挿判断タイマーをストップさせる。
【０１０２】
次に、シンク電源監視ステートマシン３０の動作を説明する。シンク電源監視ステートマシン３０は、図１３に示すシンク電源監視ステートチャートに沿って動作する。シンク電源監視ステートには、シンク電源確認状態、シンク電源ＯＦＦ状態およびシンク電源ＯＮ状態が存在する。
【０１０３】
シンク電源監視ステートマシン３０は、主電源ＯＮ（ＡＣＯＮ）となるとき、シンク電源確認状態となる。シンク電源監視ステートマシン３０は、シンク電源確認状態に入るとき、シンク電源の確認を行う。この場合、シンク電源監視ステートマシン３０は、ＨＤＭＩケーブル２１０のＣＥＣラインを介して、テレビ受信機１４０に、〈Give Device Power Status〉を送って、電源状態の問い合わせを行う。
【０１０４】
また、この場合、シンク電源監視ステートマシン３０は、ＨＤＭＩケーブル２１０のＣＥＣラインを介して、テレビ受信機１４０から送られてくる、問い合わせの応答である〈Report Power Status〉のOFFあるいはONに基づいて、シンク電源（テレビ受信機１４０の電源）の状態を確認する。
【０１０５】
シンク電源監視ステートマシン３０は、シンク電源確認状態において、シンク電源がＯＦＦ状態にあることを確認したとき、シンク電源ＯＦＦ状態となる。シンク電源監視ステートマシン３０は、シンク電源ＯＦＦ状態に入るとき、電源管理ステートマシン１０に、「シンクＯＦＦイベント」を送信すると共に、シンクＯＦＦタイマーカウンタをスタートさせる。シンク電源監視ステートマシン３０は、シンク電源ＯＦＦ状態において、シンクＯＦＦタイマーがタイムアウト、例えば１０秒経過となるとき、シンク電源確認状態に戻る。シンク電源監視ステートマシン３０は、シンク電源ＯＦＦ状態から出るとき、シンクＯＦＦタイマーをストップさせる。
【０１０６】
シンク電源監視ステートマシン３０は、シンク電源確認状態において、シンク電源がＯＮ状態にあることを確認したとき、シンク電源ＯＮ状態となる。シンク電源監視ステートマシン３０は、シンク電源ＯＮ状態に入るとき、電源管理ステートマシン１０に、「シンクＯＮイベント」を送信すると共に、シンクＯＮタイマーカウンタをスタートさせる。シンク電源監視ステートマシン３０は、シンク電源ＯＮ状態において、シンクＯＮタイマーがタイムアウト、例えば１０秒経過となるとき、シンク電源確認状態に戻る。シンク電源監視ステートマシン３０は、シンク電源ＯＮ状態から出るとき、シンクＯＮタイマーをストップさせる。
【０１０７】
次に、電源管理ステートマシン１０による電源状態の制御動作を説明する。電源管理ステートマシン１０は、図１４に示す電源ステートチャートに沿って制御動作を行う。電源管理ステートには、スタンバイ状態、オフ状態およびオン状態が存在する。
【０１０８】
電源管理ステートマシン１０は、主電源ＯＮ（ＡＣＯＮ）となるとき、スタンバイ状態となる。電源管理ステートマシン１０は、スタンバイ状態に入るとき、スタンバイ維持タイマーカウンタをスタートさせる。電源管理ステートマシン１０は、スタンバイ状態にあるとき、シンク電源監視ステートマシン３０から「シンクＯＮイベント」が通知されるとき、再びスタンバイ状態とする。このように再びスタンバイ状態に入ることで、スタンバイ維持タイマーカウンタが再スタートされる。
【０１０９】
電源管理ステートマシン１０は、スタンバイ状態において、スタンバイ維持タイマーがタイムアウト、例えば１０秒経過となるとき、オフ状態になる。電源管理ステートマシン１０は、スタンバイ状態から出るとき、スタンバイ維持タイマーをストップさせる。
【０１１０】
電源管理ステートマシン１０は、オフ状態に入るとき、ディスクプレーヤ１２０の電源状態をオフ状態にする。電源管理ステートマシン１０は、オフ状態において、ＨＰＤ検出ステートマシン２０から「ＨＰＤＯＦＦイベント」が通知されるとき、スタンバイ状態に戻る。また、電源管理ステートマシン１０は、オフ状態において、ＨＰＤ検出ステートマシン２０から「ＨＤＭＩ接続イベント」が通知されるとき、スタンバイ状態に戻る。さらに、電源管理ステートマシン１０は、オフ状態において、シンク電源監視ステートマシン３０から「シンクＯＮイベント」が通知されるとき、スタンバイ状態に戻る。電源管理ステートマシン１０は、オフ状態から出るとき、ディスクプレーヤ１２０の電源状態をスタンバイ状態にする。
【０１１１】
電源管理ステートマシン１０は、スタンバイ状態において、「電源オンイベント」が発生されるとき、オン状態となる。電源管理ステートマシン１０は、オン状態に入るとき、ディスクプレーヤ１２０の電源状態をオン状態にする。電源管理ステートマシン１０は、オン状態において、「電源オフイベント」が発生されるとき、スタンバイ状態に戻る。ままた、電源管理ステートマシン１０は、オン状態において、ＨＰＤ検出ステートマシン２０から「ＨＤＭＩ未接続イベント」が通知されるとき、スタンバイ状態に戻る。電源管理ステートマシン１０は、オン状態から出るとき、ディスクプレーヤ１２０の電源状態をスタンバイ状態にする。
【０１１２】
次に、スタンバイマイコン１３１によるディスクプレーヤ１２０の電源状態の制御動作の具体例について説明する。
【０１１３】
［具体例１］
具体例１を説明する。この具体例１では、テレビ受信機１４０においてＨＤＭＩ−ＣＥＣの電源連動機能がオンに設定されており、ディスクプレーヤ１２０およびテレビ受信機１４０の双方とも電源オフの状態にあって、ユーザがテレビ受信機１４０の電源オンの操作を行った場合について説明する。なお、ディスクプレーヤ１２０およびテレビ受信機１４０は主電源オン（ＡＣＯＮ）となっているものとする。
【０１１４】
最初に、図１５を用いて、従来の制御動作例を説明する。（ａ）ユーザがテレビ受信機１４０の電源オンの操作を行うと、テレビ受信機１４０はシステムの起動を開始する。テレビ受信機１４０は、時間Ｔ１の後にシステムの起動を終了し、電源状態はオン状態となる。
【０１１５】
（ｂ）テレビ受信機１４０は、電源状態がオン状態となった後に、ディスクプレーヤ１２０に対し、ＨＤＭＩケーブル２１０のＣＥＣラインを介して、〈User Control Pressed〉のPower onを送る。ディスクプレーヤ１２０は、この〈User Control Pressed〉のPower onに基づいて、システムの起動を開始し、時間Ｔ２の後にシステムの起動を終了し、電源状態はオン状態となる。
【０１１６】
（ｃ）ディスクプレーヤ１２０は、電源状態がオン状態となると、ディスク状記録媒体１２８から画像と音声のデータを再生し、ＨＤＭＩケーブル２１０を介してテレビ受信機１４０に送信し、画像および音声を出力できる。
【０１１７】
したがって、この従来の制御動作例においては、ユーザがテレビ受信機１４０の電源オンの操作を行ってからディスクプレーヤ１２０の再生画像および再生音声を出力可能となるまでに要する時間Ｔ３は、少なくとも、テレビ受信機１４０のシステム起動時間Ｔ１と、ディスクプレーヤ１２０のシステム起動時間Ｔ２との合計時間となる。
【０１１８】
次に、図１６を用いて、実施の形態における制御動作例を説明する。（ａ）ユーザがテレビ受信機１４０の電源オンの操作を行うと、テレビ受信機１４０はシステムの起動を開始する。（ｂ）テレビ受信機１４０は、電源オンの操作があると、時間Ｔ０の後に、接続スイッチ２０６（図５参照）を所定時間だけオン状態とし、ＨＰＤラインの電圧（ＨＰＤ信号）をロー（Low）→ハイ（High）と変化させる。
【０１１９】
（ｃ）ディスクプレーヤ１２０のスタンバイマイコン１３１（ＨＰＤ検出ステートマシン２０）は、このＨＰＤの変化に対応して、「ＨＤＭＩ接続イベント」を発生し、スタンバイマイコン１３１（電源管理ステートマシン１０）は、ディスクプレーヤ１２０の電源状態をオフ状態からスタンバイ状態に移行させる（図１２、図１４参照）。この場合、ディスクプレーヤ１２０のメインマイコン１３２は起動を開始し、時間Ｔ４が経過した後に、ディスクプレーヤ１２０はスタンバイ状態となる。
【０１２０】
（ｄ）テレビ受信機１４０は、システムの起動を開始して時間Ｔ１の経過後にシステムの起動を終了し、電源状態はオン状態となる。テレビ受信機１４０は、電源状態がオン状態となった後に、ディスクプレーヤ１２０に対し、ＨＤＭＩケーブル２１０のＣＥＣラインを介して、テレビ受信機１４０の電源オン情報として、〈User Control Pressed〉のPower onを送る。
【０１２１】
（ｅ）ディスクプレーヤ１２０のスタンバイマイコン１３１は、この〈User Control Pressed〉のPower onに基づいて、「電源オンイベント」を発生し、ディスクプレーヤ１２０の電源状態を、スタンバイ状態からオン状態に移行させる（図１４参照）。ディスクプレーヤ１２０は、スタンバイ状態となってから、時間Ｔ５が経過した後に、オン状態となる。
【０１２２】
（ｆ）ディスクプレーヤ１２０は、電源状態がオン状態となると、ディスク状記録媒体１２８から画像と音声のデータを再生し、ＨＤＭＩケーブル２１０を介してテレビ受信機１４０に送信し、画像および音声を出力できる。
【０１２３】
上述の図１６に示す制御動作例においては、ユーザがテレビ受信機１４０の電源オンの操作を行ってからディスクプレーヤ１２０の再生画像および再生音声が出力可能となるまでに要する時間Ｔ６は、ユーザの電源オンの操作があってからＨＰＤ信号が変化するまでの時間Ｔ０と、ディスクプレーヤ１２０のメインマイコン１３２が起動して電源状態がオフ状態からスタンバイ状態になるまでの時間Ｔ４と、ディスクプレーヤ１２０の電源状態がスタンバイ状態からオン状態になるまでの時間Ｔ５との合計時間となる。
【０１２４】
ここで、ユーザの電源オンの操作があってからＨＰＤ信号が変化するまでの時間Ｔ０は、テレビ受信機１４０がシステムの起動を開始して、それが終了するまでのシステム起動時間Ｔ１より短い。つまり、Ｔ６＝Ｔ０＋Ｔ４＋Ｔ５＜Ｔ１＋Ｔ２＝Ｔ３である。したがって、実施の形態における制御動作例の場合、従来の制御動作例に比べて、ユーザがテレビ受信機１４０の電源オンの操作を行ってからディスクプレーヤ１２０の再生画像および再生音声を出力可能となるまでに要する時間は、Ｔ３−Ｔ６＝Ｔ１−Ｔ０だけ、高速化される。
【０１２５】
ここで、テレビ受信機１４０において、ユーザの電源オンの操作があってからＨＰＤ信号が変化するまでの時間Ｔ０を、例えばハード的に早くする、つまり時間Ｔ０を０に近づけることで、さらなる高速化を実現できる。
【０１２６】
［具体例２］
具体例２を説明する。この具体例２では、テレビ受信機１４０においてＨＤＭＩ−ＣＥＣの電源連動機能がオンに設定されており、ディスクプレーヤ１２０およびテレビ受信機１４０の双方とも電源オンの状態にあって、ユーザがテレビ受信機１４０の電源オフの操作を行った場合について説明する。
【０１２７】
最初に、図１７を用いて、ユーザがテレビ受信機１４０の電源オフの操作を行った場合の制御動作例を説明する。
【０１２８】
（ａ）ユーザがテレビ受信機１４０の電源オフの操作を行うと、テレビ受信機１４０は、電源オフの状態となる。（ｂ）テレビ受信機１４０は、電源状態がオフ状態となった後に、ディスクプレーヤ１２０に対し、ＨＤＭＩケーブル２１０のＣＥＣラインを介して、テレビ受信機１４０の電源オフ情報として、〈User Control Pressed〉のPower offを送る。
【０１２９】
（ｃ）ディスクプレーヤ１２０のスタンバイマイコン１３１は、この〈User Control Pressed〉のPower offに基づいて、「電源オフイベント」を発生し、ディスクプレーヤ１２０の電源状態を、オン状態からスタンバイ状態に移行させる（図１４参照）。スタンバイマイコン１３１（電源管理ステートマシン１０）は、スタンバイ状態となったときスタンバイ維持タイマーをスタートさせる。
【０１３０】
（ｄ）スタンバイマイコン１３１（電源管理ステートマシン１０）は、スタンバイ維持タイマーがタイムアウトとなる時間Ｔ７の経過後に、ディスクプレーヤ１２０の電源状態を、スタンバイ状態からオフ状態に移行させる（図１４参照）。
【０１３１】
次に、図１７を用いて、ユーザがテレビ受信機１４０の電源オフの操作を行った後、時間Ｔ７が経過する前に、ユーザがテレビ受信機１４０の電源オンの操作を行った場合の制御動作例を説明する。
【０１３２】
（ａ）ユーザがテレビ受信機１４０の電源オフの操作を行うと、テレビ受信機１４０は、電源オフの状態となる。（ｂ）テレビ受信機１４０は、電源状態がオフ状態となった後に、ディスクプレーヤ１２０に対し、ＨＤＭＩケーブル２１０のＣＥＣラインを介して、テレビ受信機１４０の電源オフ情報として、〈User Control Pressed〉のPower offを送る。
【０１３３】
（ｃ）ディスクプレーヤ１２０のスタンバイマイコン１３１は、この〈User Control Pressed〉のPower offに基づいて、「電源オフイベント」を発生し、ディスクプレーヤ１２０の電源状態を、オン状態からスタンバイ状態に移行させる（図１４参照）。スタンバイマイコン１３１（電源管理ステートマシン１０）は、スタンバイ状態となったときスタンバイ維持タイマーをスタートさせる。
【０１３４】
（ｄ）スタンバイ維持タイマーが時間Ｔ７を経過する前に、ユーザがテレビ受信機１４０の電源オンの操作を行うと、テレビ受信機１４０はシステムの起動を開始する。（ｅ）テレビ受信機１４０は、システムの起動を開始して時間Ｔ１の経過後にシステムの起動を終了し、電源状態はオン状態となる。テレビ受信機１４０は、電源状態がオン状態となった後に、ディスクプレーヤ１２０に対し、ＨＤＭＩケーブル２１０のＣＥＣラインを介して、電源オンの操作情報として、〈User Control Pressed〉のPower onを送る。
【０１３５】
（ｆ）ディスクプレーヤ１２０のスタンバイマイコン１３１は、この〈User Control Pressed〉のPower onに基づいて、「電源オンイベント」を発生し、ディスクプレーヤ１２０の電源状態を、スタンバイ状態からオン状態に移行させる（図１４参照）。ディスクプレーヤ１２０は、時間Ｔ５が経過した後に、オン状態となる。（ｇ）ディスクプレーヤ１２０は、電源状態がオン状態となると、ディスク状記録媒体１２８から画像と音声のデータを再生し、ＨＤＭＩケーブル２１０を介してテレビ受信機１４０に送信し、画像および音声を出力できる。
【０１３６】
上述の図１８に示す制御動作例においては、ユーザがテレビ受信機１４０の電源オンの操作を行い、時間Ｔ７以内にユーザがテレビ受信機１４０の電源操作を行った場合、その電源オンの操作を行ってからディスクプレーヤ１２０の再生画像および再生音声が出力可能となるまでに要する時間Ｔ８は、テレビ受信機１４０のシステム起動時間Ｔ１と、ディスクプレーヤ１２０の電源状態がスタンバイ状態からオン状態になるまでの時間Ｔ５との合計時間となる。
【０１３７】
ここで、時間Ｔ５は、ディスクプレーヤ１２０の電源状態がオフ状態からオン状態になるまでのシステム起動時間Ｔ２（図１５参照）に比べて短い。したがって、ユーザがテレビ受信機１４０の電源オフの操作を行った後に、時間Ｔ７以内に電源オンの操作を行った場合には、ディスクプレーヤ１２０に関してはその電源状態をスタンバイ状態からオン状態に移行させる動作となるので、ユーザが誤って電源オフの操作を行った場合等の再起動の高速化を実現できる。
【０１３８】
［具体例３］
具体例３を説明する。この具体例３では、テレビ受信機１４０においてＨＤＭＩ−ＣＥＣの電源連動機能がオフに設定されており、ディスクプレーヤ１２０およびテレビ受信機１４０の双方とも電源オフの状態にあって、ユーザがテレビ受信機１４０の電源オンの操作を行って、このテレビ受信機１４０のシステムを起動させ、その後に、ユーザがディスクプレーヤ１２０に入力切り換え操作を行うと共に、このディスクプレーヤ１２０の電源オンの操作を行った場合について説明する。
【０１３９】
最初に、図１９を用いて、従来の制御動作例を説明する。（ａ）ユーザがテレビ受信機１４０の電源オンの操作を行うと、テレビ受信機１４０はシステムの起動を開始する。テレビ受信機１４０は、時間Ｔ１の後にシステムの起動を終了し、電源状態はオン状態となる。
【０１４０】
（ｂ）ユーザが、例えばチューナから、ディスクプレーヤ１２０に入力切り替えを行う。（ｃ）その後に、ユーザがディスクプレーヤ１２０の電源オンの操作を行うと、ディスクプレーヤ１２０は、システムの起動を開始し、時間Ｔ２の後にシステムの起動を終了し、電源状態はオン状態となる。
【０１４１】
（ｄ）ディスクプレーヤ１２０は、電源状態がオン状態となると、ディスク状記録媒体１２８から画像と音声のデータを再生し、ＨＤＭＩケーブル２１０を介してテレビ受信機１４０に送信し、画像および音声を出力できる。
【０１４２】
したがって、この従来の制御動作例においては、ユーザがディスクプレーヤ１２０の電源オンの操作を行ってからディスクプレーヤ１２０の再生画像および再生音声を出力可能となるまでに要する時間Ｔ９は、ディスクプレーヤ１２０のシステム起動時間Ｔ２とほぼ等しくなる。
【０１４３】
次に、図２０を用いて、実施の形態における制御動作例を説明する。（ａ）ユーザがテレビ受信機１４０の電源オンの操作を行うと、テレビ受信機１４０はシステムの起動を開始する。（ｂ）ディスクプレーヤ１２０のスタンバイマイコン１３１（シンク電源監視ステートマシン３０）は、一定時間間隔、例えば１０秒間隔で、テレビ受信機１４０に、〈Give Device Power Status〉を送って、電源状態の問い合わせを行う。テレビ受信機１４０は、システム起動中にある場合には、〈Report Power Status〉のOFFを、応答として、ディスクプレーヤ１２０に送る。
【０１４４】
（ｃ）テレビ受信機１４０は、時間Ｔ１の後にシステムの起動を終了し、電源状態がオン状態となると、〈Report Power Status〉のONを、応答として、ディスクプレーヤ１２０に送る。
【０１４５】
(d)ディスクプレーヤ１２０のスタンバイマイコン１３１（シンク電源監視ステートマシン３０）は、テレビ受信機１４０の電源オン情報としての、この〈Report Power Status〉のONに基づいて、「シンクＯＮイベント」を発生し、スタンバイマイコン１３１（電源管理ステートマシン１０）は、ディスクプレーヤ１２０の電源状態をオフ状態からスタンバイ状態に移行させる（図１３、図１４参照）。この場合、ディスクプレーヤ１２０のメインマイコン１３２は起動を開始し、時間Ｔ４が経過した後に、ディスクプレーヤ１２０はスタンバイ状態となる。
【０１４６】
（ｅ）ユーザが、例えばチューナから、ディスクプレーヤ１２０に入力切り替えを行う。（ｆ）その後に、ユーザがディスクプレーヤ１２０の電源オンの操作を行うと、（ｇ）ディスクプレーヤ１２０のスタンバイマイコン１３１は、「電源オンイベント」を発生し、ディスクプレーヤ１２０の電源状態を、スタンバイ状態からオン状態に移行させる（図１４参照）。ディスクプレーヤ１２０は、スタンバイ状態となってから、時間Ｔ５が経過した後に、オン状態となる。
【０１４７】
（ｈ）ディスクプレーヤ１２０は、電源状態がオン状態となると、ディスク状記録媒体１２８から画像と音声のデータを再生し、ＨＤＭＩケーブル２１０を介してテレビ受信機１４０に送信し、画像および音声を出力できる。
【０１４８】
上述の図２０に示す制御動作例においては、ユーザがディスクプレーヤ１２０の電源オンの操作を行ってからディスクプレーヤ１２０の再生画像および再生音声を出力可能となるまでに要する時間Ｔ１０は、ディスクプレーヤ１２０の電源状態がスタンバイ状態からオン状態になるまでの時間Ｔ５とほぼ等しくなる。この時間Ｔ５は、ディスクプレーヤ１２０の電源状態がオフ状態からオン状態になるまでのシステム起動時間Ｔ２（図１５参照）に比べて短い。したがって、ユーザがディスクプレーヤ１２０に入力を切り換えた後の、当該ディスクプレーヤの起動の高速化を実現できる。
【０１４９】
図１に示すＡＶシステム１００において、ディスクプレーヤ１２０は、テレビ受信機１４０の電源オン情報（ＨＰＤ信号の変化、あるいは〈Report Power Status〉のON）が取得されるとき、電源状態がオフ状態からスタンバイ状態に移行される。そのため、電源オンの操作があった場合、ディスクプレーヤ１２０はスタンバイ状態からオン状態に移行するだけでよい。したがって、ユーザが電源オン操作を行ってからディスクプレーヤ１２０が実際に電源オン状態となるまでの時間を短縮でき、起動の高速化を実現できる。
【０１５０】
また、図１に示すＡＶシステム１００において、ディスクプレーヤ１２０は、電源オフの操作情報（〈User Control Pressed〉のPower off）が取得されるとき、電源状態がオン状態からスタンバイ状態に移行される。そのため、テレビ受信機１４０において電源オフの操作が誤って行われ、直ちにテレビ受信機１４０において電源オンの操作が行われた場合には、ディスクプレーヤ１２０はスタンバイ状態からオン状態に移行するだけでよい。したがって、この場合には、ユーザが電源オン操作を行ってから実際に電源オン状態となるまでの時間を短縮化できる。
【０１５１】
また、図１に示すＡＶシステム１００において、ディスクプレーヤ１２０は、上述したように電源オフの操作情報が取得されて電源状態がオン状態からスタンバイ状態に移行された場合、ディスクプレーヤ１２０は、予め設定された所定時間（時間Ｔ７）が経過しても、電源オンの操作情報（〈User Control Pressed〉のPower on）が取得されないとき、電源状態はさらにスタンバイ状態からオフ状態に移行される。そのため、テレビ受信機１４０の電源オフの操作が誤りでないとき、テレビ受信機１４０の電源オン操作が直ちに行われることはなく、その場合に、ディスクプレーヤ１２０がスタンバイ状態のままにおかれることを防止でき、無駄な電力消費を防止できる。
【０１５２】
なお、上述実施の形態においては、この発明を、ソース機器であるディスクプレーヤ１２０に適用したものを示した。しかし、この発明は、シンク機器であるテレビ受信機１４０にも同様に適用できる。シンク機器で起動高速化が求められる場合としては、例えば、ワンタッチプレイ時、ソース機器の電源が入った状態でのシンク機器の電源オン操作時、などがある。
【０１５３】
また、上述実施の形態においては、ディスクプレーヤ１２０の制御部１２２は、メインマイコン（デジタルマイコン）１３２の他に、電源状態を管理するスタンバイマイコン１３１を備えている。しかし、必ずしも、メインマイコン１３２およびスタンバイマイコン１３１を備えた構成である必要はなく、メインマイコン１３２だけを備え、このメインマイコン１３２が電源状態を管理する機能を持っていてもよい。
【０１５４】
また、上述実施の形態においては、ソース機器としてディスクプレーヤ１２０を使用し、シンク機器としてテレビ受信機１４０を使用したＡＶシステム１００としたが、その他のソース機器、シンク機器を使用して構成されるシステムにも、この発明を同様に適用できる。例えば、ソース機器としての地上波デジタル放送受信用のセットトップボックスとシンク機器としてのテレビ受信機が接続された受信システムにも、この発明を同様に適用でき、起動の高速化を図ることができる。
【０１５５】
また、上述実施の形態においては、電子機器間（ソース機器とシンク機器の間）を接続する伝送路として、ＨＤＭＩ規格のインタフェースを前提として説明したが、その他の同様な伝送規格にも適用可能である。また、上述実施の形態においては、電子機器間をＨＤＭＩケーブルで接続したものを示したが、この発明は、電子機器間の接続を無線で行うものにも、同様に適用できる。
【産業上の利用可能性】
【０１５６】
この発明は、ユーザが電源オン操作を行ってから実際に電源オン状態となるまでの時間を短縮して起動高速化を実現できるものであり、例えば、ディスクプレーヤとテレビ受信機とをＨＤＭＩインタフェースを用いて接続してなるＡＶシステム等に適用できる。
【図面の簡単な説明】
【０１５７】
【図１】この発明の実施の形態としてのＡＶシステムの構成例を示すブロック図である。
【図２】ＡＶシステムを構成するディスクプレーヤ（ソース機器）の構成例を示すブロック図である。
【図３】ＡＶシステムを構成するテレビ受信機（シンク機器）の構成例を示すブロック図である。
【図４】ＨＤＭＩ送信部（ＨＤＭＩソース）とＨＤＭＩ受信部（ＨＤＭＩシンク）の構成例を示すブロック図である。
【図５】ソース機器としてのディスクプレーヤと、シンク機器としてのテレビ受信機における、電源端子（+5V power  端子）と、ＨＰＤ(Hot Plug Detect)端子の周辺回路を簡略的に示す図である。
【図６】ＨＤＭＩ送信部を構成するＨＤＭＩトランスミッタと、ＨＤＭＩ受信部を構成するＨＤＭＩレシーバの構成例を示すブロック図である。
【図７】ＴＭＤＳ伝送データの構造例（横×縦が１９２０ピクセル×１０８０ラインの画像データが伝送される場合）を示す図である。
【図８】ソース機器およびシンク機器のＨＤＭＩケーブルが接続されるＨＤＭＩ端子のピン配列（タイプＡ）を示す図である。
【図９】ディスクプレーヤの制御部が備えるスタンバイマイコンおよびメインマイコン（デジタルマイコン）等の、電源状態がオフ状態、スタンバイ状態、オン状態における動作状態を示す図である。
【図１０】スタンバイマイコンを構成する各ステートマシン（電源管理ステートマシン、ＨＰＤ検出ステートマシン、シンク電源監視ステートマシン）の静的構造を示す図である。
【図１１】電源管理ステートマシンに、ＨＰＤ検出ステートマシン、シンク電源監視ステートマシン等から通知されるイベントの一覧を示す図である。
【図１２】ＨＰＤ検出ステートマシンの動作を説明するためのＨＰＤ検出ステートチャートである。
【図１３】シンク電源監視ステートマシンの動作を説明するためのシンク電源監視ステートチャートである。
【図１４】電源管理ステートマシンによる電源状態の制御動作を説明するための電源ステートチャートである。
【図１５】スタンバイマイコンによるディスクプレーヤの電源状態の制御動作例を説明するための図である。
【図１６】スタンバイマイコンによるディスクプレーヤの電源状態の制御動作例を説明するための図である。
【図１７】スタンバイマイコンによるディスクプレーヤの電源状態の制御動作例を説明するための図である。
【図１８】スタンバイマイコンによるディスクプレーヤの電源状態の制御動作例を説明するための図である。
【図１９】スタンバイマイコンによるディスクプレーヤの電源状態の制御動作例を説明するための図である。
【図２０】スタンバイマイコンによるディスクプレーヤの電源状態の制御動作例を説明するための図である。
【符号の説明】
【０１５８】
１０・・・電源管理ステートマシン、２０・・・ＨＰＤ検出ステートマシン、３０・・・シンク電源監視ステートマシン、１００・・・ＡＶシステム、１２０・・・ディスクプレーヤ、１２１・・・ＨＤＭＩ端子、１２２・・・制御部、１２３・・・ユーザ操作部、１２４・・・表示部、１２５・・・デコーダ、１２６・・・出力端子、１２７・・・再生部、１２８・・・ディスク状記録媒体、１２９・・・ＨＤＭＩ送信部、１３１・・・スタンバイマイコン、１３２・・・メインマイコン（デジタルマイコン）、１４０・・・テレビ受信機、１４１・・・ＨＤＭＩ端子、１４３・・・制御部、１４４・・・ユーザ操作部、１４５・・・ＨＤＭＩ受信部、１４６・・・チューナ、１４７・・・アンテナ端子、１４８・・・切り替え器、１４９・・・表示処理部、１５０・・・表示パネル、２１０・・・ＨＤＭＩケーブル
【図１】
2010045450.tif 000003
【図２】
2010045450.tif 000004
【図３】
2010045450.tif 000005
【図４】
2010045450.tif 000006
【図５】
2010045450.tif 000007
【図６】
2010045450.tif 000008
【図７】
2010045450.tif 000009
【図８】
2010045450.tif 000010
【図９】
2010045450.tif 000011
【図１０】
2010045450.tif 000012
【図１１】
2010045450.tif 000013
【図１２】
2010045450.tif 000014
【図１３】
2010045450.tif 000015
【図１４】
2010045450.tif 000016
【図１５】
2010045450.tif 000017
【図１６】
2010045450.tif 000018
【図１７】
2010045450.tif 000019
【図１８】
2010045450.tif 000020
【図１９】
2010045450.tif 000021
【図２０】
2010045450.tif 000022